(57)【要約】      （修正有）【課題】普段身の回りに有る物を利用して、手軽に携帯電話の姿勢を安定させることができる携帯電話保持具を提供する。【解決手段】携帯電話保持具１００は、コップ型形状の静置部であって、該コップ型形状の内側に携帯電話１３０を内接させ、該携帯電話を静置させる静置部を有する。また、上記の携帯電話保持具は、前記携帯電話を前記静置部に静置させた状態で、該携帯電話の充電を行う充電部を有していても良く、また、前記静置部が、ガラス製であっても良い。また、上記の携帯電話保持具は、上記静置部を複数並置させたものであっても良い。【選択図】図３
0003174442.tif 000002
【実用新案登録請求の範囲】
【請求項１】
飲み物に用いる容器であるコップを利用した静置部であって、該コップの内側に携帯電話を内接させ、該携帯電話を静置させる静置部を有することを特徴とする携帯電話保持具。
【請求項２】
前記静置部が、前記携帯電話を前記コップの内側に静置させたままの状態で操作可能にするために、該コップの外周の一部を欠けた状態としたり満ちた状態としたりする開閉機構を有することを特徴とする請求項１に記載の携帯電話保持具。
【請求項３】
前記コップの底から口までの高さが、前記携帯電話の高さの１／２以上であることを特徴とする請求項１又は２に記載の携帯電話保持具。
【請求項４】
前記携帯電話を前記静置部に静置させた状態で、該携帯電話の充電を行う充電部を有することを特徴とする請求項１乃至３の何れか一記載の携帯電話保持具。
【請求項５】
前記静置部が、ガラス製であることを特徴とする請求項１乃至４の何れか一に記載の携帯電話保持具。
【請求項６】
前記静置部を複数並置させたことを特徴とする請求項１乃至５の一に記載の携帯電話保持具。
【考案の詳細な説明】
【技術分野】
【０００１】
本考案は、スマートフォンなど携帯電話機能を有する装置を保持する器具の技術に関する。
【背景技術】
【０００２】
スマートフォンを含む携帯電話を固定、保持する器具に関しては、種々の提案がなされている。例えば、特許文献１等では、前面に開口部を有すると共に、上方が開放され、該上方開放部より携帯電話機を出し入れ自在に構成した箱状の携帯電話機保持体を備え、該保持体を上方開放の収納箱内に揺動自在に枢支して、前記携帯電話を保持した該保持体を該収納箱内に収納自在とし、且つ、該保持体と該収納箱の枢支部に弾性手段を介装し、該弾性手段の付勢により前記保持体の揺動運動が制限されるように構成されたことを特徴とする携帯電話機保持具が提案されている。
【先行技術文献】
【特許文献】
【０００３】
【特許文献１】特開２００３−１９８６９９号公報
【考案の概要】
【考案が解決しようとする課題】
【０００４】
しかしながら、上記のような携帯電話保持具は、構成が複雑であり、作製に手間が掛かるという問題点がある。
【０００５】
そこで本考案では、上記問題点に鑑み、普段身の回りに有る物を利用して、手軽に携帯電話の姿勢を安定させることができる携帯電話保持具を提供することを目的とする。
【課題を解決するための手段】
【０００６】
開示する携帯電話保持具の一形態は、コップ型形状の静置部であって、該コップ型形状の内側に携帯電話を内接させ、該携帯電話を静置させる静置部を有することを特徴とする。
また、開示する携帯電話保持具の一形態は、前記携帯電話を前記静置部に静置させた状態で、該携帯電話の充電を行う充電部を有していても良い。
また、開示する携帯電話保持具の一形態は、前記静置部が、ガラス製であっても良い。
また、開示する携帯電話保持具の一形態は、上記静置部を複数並置させたものであっても良い。
【考案の効果】
【０００７】
開示する携帯電話保持具は、普段身の回りに有る物を利用して、手軽に携帯電話の姿勢を安定させることができる。
【図面の簡単な説明】
【０００８】
【図１】一般的な携帯電話（スマートフォン）の一例を示す図である。
【図２】携帯電話（スマートフォン）の電波状態（通信状態）が悪い場合の画面表示の一例を示す図である。
【図３】本実施の形態に係る携帯電話保持具に携帯電話（スマートフォン）を静置させた図である。
【図４】携帯電話（スマートフォン）の電波状態（通信状態）が良い場合の画面表示の一例を示す図である。
【図５】本実施の形態に係る携帯電話保持具を使用し携帯電話の電波状態（通信状態）を改善させる実験の結果を示す図である。
【考案を実施するための形態】
【０００９】
図面を参照しながら、本考案を実施するための形態について説明する。
（本実施の形態に係る携帯電話保持具の構造）
【００１０】
図１及び図２を用いて、携帯電話１３０を使用する際の問題点について説明する。ここで、携帯電話１３０は、通信キャリア等によって設置された基地局１５０との間で無線通信を行う機能を備えた移動体通信システムにおける端末である。また、携帯電話１３０とは、ＰＤＡ（Personal Digital Assistant）、スマートフォン（Smartphone）などを含む概念である。
【００１１】
図１で示すように、携帯電話１３０は、基地局１５０との間で無線通信を行い、通話、電子メール送受信、インターネット接続等の機能を発揮する。そのため、図２で示すように、携帯電話１３０・基地局１５０間の電波状態（通信状態）の質が低い場合、携帯電話１３０は、十分な機能を発揮することができない。例えば、建物の中や地下空間など基地局からの電波が届き難い場所では、電波状態の質が低くなり、携帯電話１３０は、十分な機能を発揮できない場合がある。
【００１２】
一方で、通信キャリアは、上記のような建物の中や地下空間など基地局からの電波が届き難い場所を減らすために、基地局性能の改善や基地局の増設を行っているが、電波状態の質が低い場所を完全に無くすまでには至っていない。
【００１３】
そこで、本考案では、普段身の回りに有る物を利用して、手軽に携帯電話の姿勢を安定させると共に、通信キャリアによる上記施策の実施を待つまでも無く、携帯電話１３０・基地局１５０間の電波状態（通信状態）の質を改善させる携帯電話保持具１００を提案する。
【００１４】
図３及び図４を用いて、本実施の形態に係る携帯電話保持具１００の構造について説明する。図３は、携帯電話保持具１００の一例を示す図であり、図４は、携帯電話保持具１００を使用した場合の携帯電話１３０の電波状態表示の一例を示す図である。
図３で示すように、携帯電話保持具１００は、静置部１１０を有する。また、携帯電話保持具１００は、図示されていない充電部１２０を有する。
【００１５】
静置部１１０は、コップ型形状をしており、該コップ型形状の内側に携帯電話１３０を内接させ、携帯電話１３０を静置させる。例えば、静置部１１０は、コップそのものである。静置部１１０は、ガラス製であっても良く、プラスチック製であっても良い。また、静置部１１０は、取っ手が付いていても、取っ手が付いていなくてもどちらの形態でも良い。
【００１６】
また、静置部１１０は、ユーザが携帯電話１３０を、内側に静置させたままの状態で操作可能にするため、コップ型形状の一部が欠け、前開きの形状になっていても良く、又は前開きの形状にするための開閉機構を備えていても良い。
【００１７】
携帯電話１３０・基地局１５０間の電波状態（通信状態）の質が悪い場所で、静置部１１０の内側に携帯電話１３０を静置させ、その状態を所定時間継続させることによって、電波状態（通信状態）の質が改善する。例えば、携帯電話１３０の電波状態（通信状態）表示１４０が、図２で示す状態から図４で示す状態へ変化する。
【００１８】
充電部１２０は、携帯電話１３０を静置部１１０に静置させた状態で、携帯電話１３０の充電を行う。充電部１２０は、静置部１３０（コップ）の底面・側面などに予め備えられる形態であっても良く、充電部１２０が備える充電端子に関しコード付属の有無は問わない。また、携帯電話保持具１００は、静置部１１０外部のコード付き充電端子（充電部）１２０に接続された携帯電話１３０を静置部１１０に静置させる形態であっても良い。
また、携帯電話保持具１００は、静置部１１０（及び充電部１２０）を左右・前後に複数並置し、複数の携帯電話１３０を保持できるような構成としても良い。
（本実施の形態に係る携帯電話保持具の使用方法）
図３を用いて、本実施の形態に係る携帯電話保持具１００の使用方法について説明する。
【００１９】
携帯電話１３０のユーザは、携帯電話１３０・基地局１５０間の電波状態（通信状態）の質が悪い場所に居る場合、携帯電話１３０を静置部１１０の内側に挿入し、携帯電話１３０及び携帯電話保持具１００をそのままの状態で放置する。このとき、充電部１２０によって携帯電話１３０に対し充電を行っても良い。
この状態を所定時間継続させることによって、例えば、携帯電話１３０の電波状態（通信状態）表示１４０が、図２で示す状態から図４で示す状態へ変化する。
【００２０】
このように、携帯電話１３０・基地局１５０間の電波状態（通信状態）の質が悪い場所で、静置部１１０の内側に携帯電話１３０を静置させ、その状態を所定時間継続させることによって、携帯電話１３０・基地局１５０間の電波状態（通信状態）の質が改善する。
（本実施の形態に係る携帯電話保持具を使用した実験結果）
【００２１】
図５を用いて、本実施の形態に係る携帯電話保持具１００を使用して、携帯電話１３０の電波状態（通信状態）を改善させる実験の結果について説明する。図５は、それぞれ異なる環境において、本実施の形態に係る携帯電話保持具１００を使用して携帯電話１３０の電波状態（通信状態）を改善させる実験を行った結果を示す図である。
また、この実験で使用した携帯電話１３０は、アップル社製のｉＰｈｏｎｅ４（登録商標）であり、通信キャリアは、ソフトバンクモバイル株式会社である。
【００２２】
実験番号１では、地上２階にある飲食店内で実験を行った。この実験で使用した静置部（コップ）１１０は、ガラス製であり、形状は丸型、高さ（深さ）は約９ｃｍである。また、携帯電話１３０は、静置部１１０の内側において、縦置きに静置させた。この実験において、静置部１１０へ携帯電話１３０を挿入する前、電波状態表示１４０は、５本中１本であったが、静置部１１０へ携帯電話１３０を挿入した直後から、電波状態表示１４０が、５本中４本となった。つまり、静置部１１０へ携帯電話１１０を挿入し、静置させることにより、携帯電話１３０の電話状態（通信状態）が改善した。
【００２３】
実験番号２では、地上４階にあるマンション内で実験を行った。この実験で使用した静置部（コップ）１１０は、ガラス製であり、形状は丸型、高さ（深さ）は約１３ｃｍである。また、携帯電話１３０は、静置部１１０の内側において、縦置きに静置させた。この実験において、静置部１１０へ携帯電話１３０を挿入する前、電波状態表示１４０は、５本中２本であったが、静置部１１０へ携帯電話１３０を挿入した直後から、電波状態表示１４０が、５本中５本となった。つまり、静置部１１０へ携帯電話１１０を挿入し、静置させることにより、携帯電話１３０の電話状態（通信状態）が改善した。
【００２４】
実験番号３では、地下にて実験を行った。この実験で使用した静置部（コップ）１１０は、ガラス製であり、形状は八角形型、高さ（深さ）は約１０ｃｍである。また、携帯電話１３０は、静置部１１０の内側において、縦置きに静置させた。この実験において、静置部１１０へ携帯電話１３０を挿入する前、電波状態表示１４０は、５本中１本であったが、静置部１１０へ携帯電話１３０を挿入した後５分ほどすると、電波状態表示１４０が、５本中４本となった。つまり、静置部１１０へ携帯電話１１０を挿入し、静置させることにより、携帯電話１３０の電話状態（通信状態）が改善した。
【００２５】
実験番号４では、地下にて実験を行った。この実験で使用した静置部（コップ）１１０は、プラスチック製であり、形状は丸型、高さ（深さ）は約９ｃｍである。また、携帯電話１３０は、静置部１１０の内側において、縦置きに静置させた。この実験において、静置部１１０へ携帯電話１３０を挿入する前、電波状態表示１４０は、５本中１本であったが、静置部１１０へ携帯電話１３０を挿入した後１分ほどすると、電波状態表示１４０は、５本中１本となった。つまり、静置部１１０へ携帯電話１１０を挿入し、静置させることにより、携帯電話１３０の電話状態（通信状態）が改善した。
【００２６】
実験番号５では、地上２階にあるマンション内で実験を行った。この実験で使用した静置部（コップ）１１０は、ガラス製であり、形状は丸型、高さ（深さ）は約７ｃｍである。また、携帯電話１３０は、静置部１１０の内側において、縦置きに静置させた。この実験において、静置部１１０へ携帯電話１３０を挿入する前、電波状態表示１４０は、５本中２本であったが、静置部１１０へ携帯電話１３０を挿入した後１５分ほどすると、電波状態表示１４０は、５本中５本となった。つまり、静置部１１０へ携帯電話１１０を挿入し、静置させることにより、携帯電話１３０の電話状態（通信状態）が改善した。
【００２７】
上記実験結果が示すように、携帯電話１３０・基地局１５０間の電波状態（通信状態）の質が悪い場所で、静置部１１０の内側に携帯電話１３０を静置させ、その状態を所定時間継続させることによって、電波状態（通信状態）の質が改善する。
【００２８】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２９】
１００  携帯電話保持具
１１０  静置部（コップ）
１２０  充電部
１３０  携帯電話（スマートフォン）
１４０  携帯電話１３０の電波状態（通信状態）表示
１５０  基地局
【図１】
0003174442.tif 000003
【図２】
0003174442.tif 000004
【図３】
0003174442.tif 000005
【図４】
0003174442.tif 000006
【図５】
0003174442.tif 000007